(57)【特許請求の範囲】
【請求項１】
販売者から提供される商品もしくはサービスに対して顧客に課される課金金額の決済代行を前記顧客のクレジットカード情報に基づいて実行するカード決済サーバであって、
前記販売者が管理する販売者端末からの当該販売者を示す販売者情報を含む販売情報を提示した決済代行要求に応じて、販売対象の商品もしくはサービスを示す販売対象情報の提示を要求するための販売対象情報入力画面情報を前記販売者端末に送信する販売対象情報入力画面情報送信手段と、
前記販売対象情報入力画面情報が示す販売対象情報入力画面にて入力された販売対象情報を前記販売者端末から受信する販売対象情報受信手段と、
該販売対象情報受信手段によって受信された販売対象情報を前記決済代行要求にて提示された販売者情報に対応付けして所定の販売者情報データベースに保存する販売対象情報保存手段と、
前記販売対象情報受信手段によって販売対象情報が受信されたことに応じて、前記決済代行要求に応じた決済代行が実行される決済代行用サイトへのアクセス先を示すアクセス用情報を前記販売者端末に送信するアクセス用情報送信手段と、
前記販売者端末が受信したアクセス用情報を用いた前記顧客が管理する顧客端末からのアクセスに応じて、前記顧客端末が備える表示装置に前記決済代行用サイトを表示させるための決済代行用サイト情報を提供する決済代行用サイト情報提供手段と、
前記決済代行用サイト情報提供手段により提供された決済代行用サイト情報が示す決済代行用サイト上で入力されたカード情報を含む決済情報を用いて決済を実行する決済実行手段とを備える
ことを特徴とするカード決済サーバ。
【請求項２】
アクセス用情報送信手段によって送信されたアクセス用情報は、顧客端末が備える読取装置により光学的に読み取り可能なコード情報として、販売者端末が備える表示装置に表示される
請求項１記載のカード決済サーバ。
【請求項３】
決済代行用サイトは、販売情報に含まれる販売者、販売金額、及び提供される商品又はサービスの名称を表示する表示領域と、カード情報が入力される入力領域とを含む
請求項１または請求項２記載のカード決済サーバ。
【請求項４】
販売者から提供される商品もしくはサービスに対して顧客に課される課金金額についての前記顧客のクレジットカード情報に基づく決済代行処理を実行させるカード決済プログラムであって、
コンピュータに、
前記販売者が管理する販売者端末からの当該販売者を示す販売者情報を含む販売情報を提示し決済代行要求に応じて、販売対象の商品もしくはサービスを示す販売対象情報の提示を要求するための販売対象情報入力画面情報を前記販売者端末に送信する販売対象情報入力画面情報送信ステップと、
前記販売対象情報入力画面情報が示す販売対象情報入力画面にて入力された販売対象情報を前記販売者端末から受信する販売対象情報受信ステップと、
該販売対象情報受信ステップにて受信した販売対象情報を前記決済代行要求にて提示された販売者情報に対応付けして所定の販売者情報データベースに保存する販売対象情報保存ステップと、
前記販売対象情報受信ステップにて販売対象情報を受信したことに応じて、前記決済代行要求に応じた決済代行が実行される決済代行用サイトへのアクセス先を示すアクセス用情報を前記販売者端末に送信するアクセス用情報送信ステップと、
前記販売者端末が受信したアクセス用情報を用いた前記顧客が管理する顧客端末からのアクセスに応じて、前記顧客端末が備える表示装置に前記決済代行用サイトを表示させるための決済代行用サイト情報を提供する決済代行用サイト情報提供ステップと、
前記決済代行用サイト情報提供ステップにて提供した決済代行用サイト情報が示す決済代行用サイト上で入力されたカード情報を含む決済情報を用いて決済を実行する決済実行ステップとを
実行させるためのカード決済プログラム。
【請求項５】
販売者が管理する販売者端末と、顧客が管理する顧客端末と、前記販売者から前記顧客へ提供される商品もしくはサービスに対して課される課金金額の決済代行を前記顧客のクレジットカード情報に基づいて実行するカード決済サーバとを有するカード決済システムであって、
前記カード決済サーバは、
前記販売者端末からの当該販売者を示す販売者情報を含む販売情報を提示した決済代行要求に応じて、販売対象の商品もしくはサービスを示す販売対象情報の提示を要求するための販売対象情報入力画面情報を前記販売者端末に送信する販売対象情報入力画面情報送信手段と、
前記販売対象情報入力画面情報が示す販売対象情報入力画面にて入力された販売対象情報を前記販売者端末から受信する販売対象情報受信手段と、
該販売対象情報受信手段によって受信された販売対象情報を前記決済代行要求にて提示された販売者情報に対応付けして所定の販売者情報データベースに保存する販売対象情報保存手段と、
前記販売対象情報受信手段によって販売対象情報が受信されたことに応じて、前記決済代行要求に応じた決済代行が実行される決済代行用サイトへのアクセス先を示すアクセス用情報を前記販売者端末に送信するアクセス用情報送信手段と、
前記販売者端末が受信したアクセス用情報を用いた前記顧客が管理する顧客端末からのアクセスに応じて、前記顧客端末が備える表示装置に前記決済代行用サイトを表示させるための決済代行用サイト情報を提供する決済代行用サイト情報提供手段と、
前記決済代行用サイト情報提供手段により提供された決済代行用サイト情報が示す決済代行用サイト上で入力されたカード情報を含む決済情報を用いて決済を実行する決済実行手段とを備える
ことを特徴とするカード決済システム。
【発明の詳細な説明】
【技術分野】
【０００１】
本発明は、販売者から提供される商品もしくはサービスに対して顧客に課される課金金額の決済代行を顧客のクレジットカード情報に基づいて実行するカード決済サーバ、カード決済プログラム及びカード決済システムに関するものである。
【背景技術】
【０００２】
従来より、商品あるいはサービスに対して課される金額の支払いは、現金による場合の他、クレジットカードにより行うことが可能である。クレジットカードで決済を行う場合には、決済処理のためのカード決済端末機が用いられる。カード決済端末機は、一般に、カード会社が認定した信用のおけるカード加盟店に設置される。カード決済端末機は、商品やサービスの提供を受けた顧客から加盟店の担当者が受け取ったクレジットカードに登録されているカード情報を読み取り、読み取ったカード情報を承認サーバに送信する。そして、承認サーバにおいてカード情報にもとづく承認がなされた場合には、カード決済端末機にて決済処理が行われ、伝票が発行される。
【０００３】
上記のように、クレジットカードで決済を行う場合には、顧客のクレジットカードが販売者側（加盟店の担当者等）の手に渡ることになる。このため、信頼のおけるカード加盟店であっても、不正な処理によりカード情報が漏洩してしまうおそれがあった。
【０００４】
上記のような問題を解消するために、従来から、販売者側の介在を排除することとした決済処理システムが提案されている（例えば特許文献１）。
【０００５】
特許文献１には、クレジットカードを予め決済仲介サーバに登録しておき、携帯端末に消費者ＩＤを入力して小売業者サーバ（販売者サーバ）に送信し、決済仲介サーバを介して決済依頼を行う決済処理システムが開示されている。
【０００６】
【特許文献１】特開平１５−１２３００５号公報
【発明の開示】
【発明が解決しようとする課題】
【０００７】
しかしながら、特許文献１に記載の発明にあっては、消費者ＩＤが、小売業者サーバに送信され、そこから決済仲介サーバに送信されるので、小売業者サーバに消費者ＩＤの記憶が残される可能性がある。したがって、この消費者ＩＤをたどり、クレジットカード番号などを知られる虞は、未だに残存している。
【０００８】
本発明は、このような問題を鑑みてなされたものであって、クレジットカードによって決済を行う際のカード情報の漏洩を確実に回避することができるようにすることを目的とする。
【課題を解決するための手段】
【０００９】
本発明に係るカード決済サーバは、販売者から提供される商品もしくはサービスに対して顧客に課される課金金額の決済代行を前記顧客のクレジットカード情報に基づいて実行するカード決済サーバであって、前記販売者が管理する販売者端末からの当該販売者を示す販売者情報を含む販売情報を提示した決済代行要求に応じて、販売対象の商品もしくはサービスを示す販売対象情報の提示を要求するための販売対象情報入力画面情報を前記販売者端末に送信する販売対象情報入力画面情報送信手段と、前記販売対象情報入力画面情報が示す販売対象情報入力画面にて入力された販売対象情報を前記販売者端末から受信する販売対象情報受信手段と、該販売対象情報受信手段によって受信された販売対象情報を前記決済代行要求にて提示された販売者情報に対応付けして所定の販売者情報データベースに保存する販売対象情報保存手段と、前記販売対象情報受信手段によって販売対象情報が受信されたことに応じて、前記決済代行要求に応じた決済代行が実行される決済代行用サイトへのアクセス先を示すアクセス用情報を前記販売者端末に送信するアクセス用情報送信手段と、前記販売者端末が受信したアクセス用情報を用いた前記顧客が管理する顧客端末からのアクセスに応じて、前記顧客端末が備える表示装置に前記決済代行用サイトを表示させるための決済代行用サイト情報を提供する決済代行用サイト情報提供手段と、前記決済代行用サイト情報提供手段により提供された決済代行用サイト情報が示す決済代行用サイト上で入力されたカード情報を含む決済情報を用いて決済を実行する決済実行手段とを備えることを特徴とする。
【００１０】
上記のように構成したことで、顧客のクレジットカード情報の入力及び送信を顧客が管理する顧客端末により完結させることができ、クレジットカード情報を販売者に提示することなくクレジットカード決済することが可能となる。このため、クレジットカードによって決済を行う際のクレジットカード情報の漏洩を確実に回避することができる。
【００１１】
また、アクセス用情報送信手段によって送信されたアクセス用情報は、顧客端末が備える読取装置により光学的に読み取り可能なコード情報として、販売者端末が備える表示装置に表示されるようにしてもよい。このように構成とすることで、アクセス用情報を顧客端末に容易に取り込むことが可能となる。
【００１２】
また、決済代行用サイトは、販売情報に含まれる販売者、販売金額、及び提供される商品又はサービスの名称を表示する表示領域と、カード情報が入力される入力領域とを含んでいてもよい。
【００１３】
本発明に係るカード決済プログラムは、販売者から提供される商品もしくはサービスに対して顧客に課される課金金額についての前記顧客のクレジットカード情報に基づく決済代行処理を実行させるカード決済プログラムであって、コンピュータに、前記販売者が管理する販売者端末からの当該販売者を示す販売者情報を含む販売情報を提示し決済代行要求に応じて、販売対象の商品もしくはサービスを示す販売対象情報の提示を要求するための販売対象情報入力画面情報を前記販売者端末に送信する販売対象情報入力画面情報送信ステップと、前記販売対象情報入力画面情報が示す販売対象情報入力画面にて入力された販売対象情報を前記販売者端末から受信する販売対象情報受信ステップと、該販売対象情報受信ステップにて受信した販売対象情報を前記決済代行要求にて提示された販売者情報に対応付けして所定の販売者情報データベースに保存する販売対象情報保存ステップと、前記販売対象情報受信ステップにて販売対象情報を受信したことに応じて、前記決済代行要求に応じた決済代行が実行される決済代行用サイトへのアクセス先を示すアクセス用情報を前記販売者端末に送信するアクセス用情報送信ステップと、前記販売者端末が受信したアクセス用情報を用いた前記顧客が管理する顧客端末からのアクセスに応じて、前記顧客端末が備える表示装置に前記決済代行用サイトを表示させるための決済代行用サイト情報を提供する決済代行用サイト情報提供ステップと、前記決済代行用サイト情報提供ステップにて提供した決済代行用サイト情報が示す決済代行用サイト上で入力されたカード情報を含む決済情報を用いて決済を実行する決済実行ステップとを実行させるためのものである。
【００１４】
上記のように構成したことで、顧客のクレジットカード情報の入力及び送信を顧客が管理する顧客端末により完結させることができ、クレジットカード情報を販売者に提示することなくクレジットカード決済することが可能となる。このため、クレジットカードによって決済を行う際のクレジットカード情報の漏洩を確実に回避することができる。
【００１５】
本発明に係るカード決済システムは、販売者が管理する販売者端末と、顧客が管理する顧客端末と、前記販売者から前記顧客へ提供される商品もしくはサービスに対して課される課金金額の決済代行を前記顧客のクレジットカード情報に基づいて実行するカード決済サーバとを有するカード決済システムであって、前記カード決済サーバは、前記販売者端末からの当該販売者を示す販売者情報を含む販売情報を提示した決済代行要求に応じて、販売対象の商品もしくはサービスを示す販売対象情報の提示を要求するための販売対象情報入力画面情報を前記販売者端末に送信する販売対象情報入力画面情報送信手段と、前記販売対象情報入力画面情報が示す販売対象情報入力画面にて入力された販売対象情報を前記販売者端末から受信する販売対象情報受信手段と、該販売対象情報受信手段によって受信された販売対象情報を前記決済代行要求にて提示された販売者情報に対応付けして所定の販売者情報データベースに保存する販売対象情報保存手段と、前記販売対象情報受信手段によって販売対象情報が受信されたことに応じて、前記決済代行要求に応じた決済代行が実行される決済代行用サイトへのアクセス先を示すアクセス用情報を前記販売者端末に送信するアクセス用情報送信手段と、前記販売者端末が受信したアクセス用情報を用いた前記顧客が管理する顧客端末からのアクセスに応じて、前記顧客端末が備える表示装置に前記決済代行用サイトを表示させるための決済代行用サイト情報を提供する決済代行用サイト情報提供手段と、前記決済代行用サイト情報提供手段により提供された決済代行用サイト情報が示す決済代行用サイト上で入力されたカード情報を含む決済情報を用いて決済を実行する決済実行手段とを備えることを特徴とする。
【００１６】
上記のように構成したことで、顧客のクレジットカード情報の入力及び送信を顧客が管理する顧客端末により完結させることができ、クレジットカード情報を販売者に提示することなくクレジットカード決済することが可能となる。このため、クレジットカードによって決済を行う際のクレジットカード情報の漏洩を確実に回避することができる。
【発明の効果】
【００１７】
本発明によれば、クレジットカードによって決済を行う際のカード情報の漏洩を確実に回避することができる。
【発明を実施するための最良の形態】
【００１８】
図１を参照して、本発明に係る実施形態について説明する。図１は、本発明の一実施形態に係るシステムの概略構成を示すブロック図である。
【００１９】
図１に示すように、本例のカード決済システム１００は、カード決済サーバ１０と、販売者端末２０と、顧客端末３０とを含む。カード決済サーバ１０はインターネット等の通信ネットワーク４０に接続され、販売者端末２０と、顧客端末３０とは中継器５０を介してそれぞれ通信ネットワーク４０に接続されている。
【００２０】
カード決済サーバ１０は、例えば、ＷＷＷ（World Wide Web）サーバやワークステーションサーバなどの情報処理装置によって構成され、例えば本システム１００の管理者によって管理される。具体的には、カード決済サーバ１０は、例えばクレジットカードのカード情報にもとづく課金を代行あるいは仲介する課金代行業者、クレジットカード会社などにより管理される。
【００２１】
販売者端末２０は、携帯電話、パーソナルコンピュータ、ＰＤＡ（Ｐｅｒｓｏｎａｌ  Ｄｉｇｉｔａｌ  Ａｓｓｉｓｔａｃｅ）などの情報処理装置によって構成され、本システム１００を利用する販売者によって管理される。販売者端末２０は、それぞれ、例えばブラウザなどが搭載され、通信ネットワーク４０を介して受信した各種情報を表示する機能や、通信ネットワーク４０を介して受信した各種情報を表示する表示機能（具体的には、表示画面）などの各種機能を有する。また、この販売者端末２０は、据え置き型であれば、例えば、コンビニエンスストア、ガソリンスタンド、飲食店などのレジスター付近に配置される。
【００２２】
顧客端末３０は、携帯電話、パーソナルコンピュータ、ＰＤＡなどの情報処理装置によって構成され、本システム１００を利用する顧客によって管理される。顧客端末３０は、それぞれ、例えばブラウザなどが搭載され、通信ネットワーク４０を介して受信した各種情報を表示する表示機能（具体的には、表示画面）や、バーコードやＱＲコードなどを撮像して読み取る撮像読取機能や、通信ネットワーク４０を介して受信した各種情報を表示する機能などの各種機能を有する。
【００２３】
図２は、カード決済サーバ１０の構成の例を示すブロック図である。図２に示すように、カード決済サーバ１０は、データ入力部１１と、データ表示部１２と、データ通信部１３と、販売情報取得部１４と、カード情報取得部１５と、決済処理部１６と、販売者情報ＤＢ１７と、カード情報ＤＢ１８とを含む。
【００２４】
データ入力部１１は、例えばキーボードやマウスなどの情報入力装置によって構成され、例えばサーバ１０の管理者が各種の情報を入力する際に用いられる。データ表示部１２は、例えばＬＣＤ（液晶表示装置）などの表示装置によって構成され、各種の情報を表示するために用いられる。
【００２５】
データ通信部１３は、通信ネットワーク４０を介して、例えば販売者端末２０や顧客端末３０との間で各種の情報を送受する機能を有する。
【００２６】
販売情報取得部１４は、販売者端末２０からの販売者情報（例えば、店舗名、端末使用者など）と、販売対象情報（例えば、販売商品名、提供サービス名、販売商品価格、サービス提供価格など）とを含む販売情報の受信に基づき、顧客端末３０がアクセス可能なアクセス用情報を販売者端末２０に送信する機能を有する。ここで、アクセス用情報とは、決済代行用サイトへのアクセス先を示す情報であり、例えば、ＵＲＬやそのＵＲＬが暗号化されたＱＲコードなどである。
【００２７】
カード情報取得部１５は、顧客端末３０からのアクセス用情報に基づくカード決済サーバ１０へのアクセスにより、決済の情報とカード情報の入力要求する情報とを顧客端末３０へ送信する機能を有する。
【００２８】
決済処理部１６は、カード情報取得部１５により入力されたカード情報に基づいて承認処理を行い、承認されたことに応じて決済処理を実行する機能等を有する。
【００２９】
販売者情報ＤＢ１７は、例えばデータベース装置によって構成され、販売者の情報などの各種の情報を含む。ここで、販売者の情報とは、例えば、商品の販売やサービスの提供を行うショップ名、そのショップのＩＤ、そのショップで販売されている商品又はサービスの名称とそれらの販売価格、そのショップで販売者端末２０を使用する者の氏名、その販売者端末２０のパスワードなどである。
【００３０】
カード情報ＤＢ１８は、例えばデータベース装置によって構成され、クレジットカード情報などの各種の情報を含む。ここで、クレジットカード情報とは、クレジットカードの番号、そのクレジットカードの有効期限、そのクレジットカードの所有者に関する個人情報（例えば生年月日）等である。
【００３１】
次に、図３のフローチャートを参照して、適宜、図４及び図５を参照して、本システムの動作を説明する。図４は、本発明の一実施形態に係るシステム１００における販売者端末２０の画面遷移を示す図であり、図５は、顧客端末３０の画面遷移を示す図である。
【００３２】
ここでは、酒屋（販売者）Ａにおいて、顧客Ｂが、商品（例えば、ビール、ピーナッツ等）を購入する場合を例に説明する。なお、酒屋Ａは、あらかじめ販売者情報や、取り扱い商品などを提示して、ユーザ登録をしているものとする。
【００３３】
まず、販売者端末２０は、販売者Ａの操作に従って、カード決済サーバ１０にアクセスする（ステップＳ１）。
【００３４】
ステップＳ１の販売者端末２０からのアクセスに基づき、カード決済サーバ１０は、販売者端末２０に対して販売者情報の提示を要求するための販売者情報入力画面情報を送信する（ステップＳ２）。ここで、販売者情報とは、例えば、予めカード決済サーバ１０に登録されたショップコード、販売者端末２０を使用しているユーザ名、パスワードなどである。
【００３５】
販売者情報入力画面情報を受信すると、販売者端末２０は、その表示画面に販売者情報入力画面情報が示す販売者情報入力画面２１を表示する。販売者情報入力画面２１は、販売者情報の入力を受け付けるための画面である。販売者情報入力画面２１には、例えば、図４（ａ）に示すように、予めカード決済サーバ１０に登録した際に与えられたショップコードを入力するショップコード入力ボックス２１ａと、ユーザ名を入力するユーザ名入力ボックス２１ｂと、パスワードを入力するパスワード入力ボックス２１ｃと、認証ボタン２１ｄとが設けられている。ここで、販売者端末２０は、販売者Ａによるショップコードと、ユーザ名と、パスワードとの入力を受け付ける（ステップＳ３）。
【００３６】
そして、販売者Ａにより上記項目が入力され、認証ボタン２１ｄが選択されると、販売者端末２０は、入力された販売者情報をカード決済サーバ１０に送信する（ステップＳ４）。
【００３７】
販売者情報を受信すると、カード決済サーバ１０は、販売情報取得部１４により、販売者情報ＤＢ１７に格納された販売者情報と受信した販売者情報とを照合し、合致すれば、販売する商品等の情報である販売対象情報の提示を要求するための販売対象情報入力画面情報を販売者端末２０に送信する（ステップＳ５）。
【００３８】
販売対象情報入力画面情報を受信すると、販売者端末２０は、その表示画面に、販売対象情報入力画面情報が示す販売対象情報入力画面２２を表示する。販売対象情報入力画面２２は、販売対象情報の入力を受け付けるための画面である。販売対象情報入力画面２２には、例えば、図４（ｂ）に示すように、販売した商品の合計金額を入力する金額入力ボックス２２ａと、決済内容を入力する決済内容入力ボックス２２ｂと、キー発行ボタン２２ｃとが設けられている。ここで、販売者端末２０は、販売合計金額（例えば、１０００円等）と、決済内容（例えば、ビール、ピーナッツ等）の入力を受け付ける（ステップＳ６）。
【００３９】
なお、図４（ｂ）に示した例にあっては、販売者端末２０が、販売合計金額と、決済内容の名称を一語ずつキー入力で受け付ける構成であるが、例えば、販売者端末２０は、販売者情報入力画面２１において入力された販売者情報に基づき、カード決済サーバ１０から販売者情報ＤＢ１７に登録されている販売者Ａが販売している商品の一覧情報（商品名、価格等）を受信し、その商品の一覧情報を表示（例えばプルダウンメニューによる表示）し、その商品の一覧情報から販売した商品の選択を受け付ける構成であってもよい。また、販売者端末２０が、その選択された商品の合計金額を自動的に金額入力ボックス２２ａに表示する機能を有していてもよい。なお、商品毎の個別の金額を表示するようにしてもよい。
【００４０】
そして、販売者Ａにより上記項目が入力され、キー発行ボタン２２ｃが選択されると、販売者端末２０は、入力された販売対象情報をカード決済サーバ１０に送信する（ステップＳ７）。
【００４１】
販売対象情報を受信すると、カード決済サーバ１０における販売情報取得部１４は、受信した販売対象情報を販売者情報に対応付けして販売者情報ＤＢ１７に保存し、後述するカード情報入力サイト（決済代行用サイト）にアクセス可能とするアクセス用情報を販売者端末２０へ送信する（ステップＳ８）。
【００４２】
アクセス用情報を受信すると、販売者端末２０は、その表示画面に、受信したアクセス用情報が示すアクセス用情報表示画面２３を表示する。アクセス用情報表示画面２３には、例えば、図４（ｃ）に示すように、カード情報入力画面へのＵＲＬが暗号化されたＱＲコード２３ａと、カード情報入力画面へのＵＲＬ２３ｂと、上記販売者情報入力画面２１及び販売対象情報入力画面２２において入力した情報を暗号化した決済キー２３ｃとが表示される。
【００４３】
つづいて、顧客端末３０は、例えば顧客Ｂの操作に応じて、販売者端末２０の表示画面に表示されたアクセス用情報表示画面２３のＱＲコード２３ａを、撮像読取機能によって読み取る（ステップＳ９）。ＱＲコード２３ａの読み取りにより、顧客端末３０は、図５（ａ）に示すように、その表示画面に、カード決済サーバ１０が提供するカード情報入力サイトのＵＲＬ３１ａと、接続ボタン３１ｂとを含む接続画面３１とを表示する。
【００４４】
次に、顧客端末３０は、顧客Ｂにより接続ボタン３１ｂの押下操作がなされたことに応じて、ＵＲＬ３１ａに基づきカード決済サーバ１０が提供するカード情報入力サイトにアクセスする（ステップＳ１０）。なお、ＵＲＬ３１ａは、アクセス用情報表示画面２３に表示されたＵＲＬ２３ｂと同様である。したがって、顧客端末３０に撮像読取機能が備えられていない場合においては、顧客端末３０は、ＵＲＬ２３を入力されることによりカード情報入力サイトにアクセスすることも可能である。
【００４５】
つづいて、顧客端末３０からのアクセスにより、カード決済サーバ１０は、カード情報取得部１６により、決済内容の確認を行うための決済確認画面情報を顧客端末３０に送信する（ステップＳ１１）。
【００４６】
次に、確認画面情報を受信すると、顧客端末３０は、その表示画面に、受信した決済確認画面情報が示す決済確認画面３２を表示する。決済確認画面３２は、決済内容を確認するための画面である。決済確認画面３２には、例えば、図５（ｂ）に示すように、顧客端末３０は、その表示画面に、例えば「○○商店ビール代、ピーナッツ代の決済処理を致します。金額  １０００円」等と記載された確認内容３２ａと、確認ボタン３２ｂとを表示する。ここで、顧客端末３０は、顧客Ｂによる決済の確認完了に伴なう確認ボタン３２ｂの選択を受け付ける（ステップＳ１２）。そして、顧客Ｂによる確認ボタン３２ｂの選択操作により、顧客端末３０は、カード決済サーバ１０に確認を完了したとの決済確認情報を送信する（ステップＳ１３）。
【００４７】
次に、カード決済サーバ１０は、顧客端末３０からの決済確認情報の受信に基づき、クレジットカード情報の提示を要求するためのカード情報入力画面情報を顧客端末３０へ送信する（ステップＳ１４）。
【００４８】
次に、カード情報入力画面情報を受信すると、顧客端末３０は、その表示画面に、カード情報入力画面情報が示すカード情報入力画面３３を表示する。カード情報入力画面３３は、クレジットカード情報を受け付けるための画面である。カード情報入力画面３３には、例えば、図５（ｃ）に示すように、顧客端末３０の表示画面には、カード番号を入力可能なカード番号入力ボックス３３ａと、カードの有効期限を入力可能な有効期限入力ボックス３３ｂと、カードに記載された顧客の生年月日を入力可能な生年月日入力ボックス３３ｃと、確認ボタン３３ｄとが表示される。ここで、顧客端末３０は、顧客Ｂによるカード番号、有効期限、生年月日の入力を受付ける（ステップＳ１５）。
【００４９】
そして、顧客Ｂによるカード情報の入力完了に伴なう確認ボタン３３ｄの選択により、顧客端末３０は、カード決済サーバ１０にカード情報を送信する（ステップＳ１６）。
【００５０】
最後に、カード情報を受信すると、カード決済サーバ１０における決済処理部１６は、受信したカード情報に基づいて承認処理を行い、承認処理したことに応じて決済処理を実行する。決済処理部１６は、この決済処理の実行が完了すれば、決済完了を通知する決済完了通知画面情報を販売者端末２０及び顧客端末３０に送信する（ステップＳ１７）。
【００５１】
決済完了通知画面情報を受信すると、販売者端末２０及び顧客端末３０は、それぞれの表示画面に、決済完了通知画面情報が示す決済完了通知画面３４を表示する。決済完了通知画面３４は、販売者Ａ及び顧客Ｂに決済完了を通知する画面である。決済完了通知画面３４には、例えば「決済完了致しました。  ・決済日時  ○年○月○日  ・決済キー  ××××××  ・金額  １０００円  ・概要  ビール、ピーナッツ」等と決済内容を表示する表示領域が設けられている。なお、販売者端末２０においても表示されるため、決済完了通知画面３４には、クレジットカード情報は含まれない。そして、例えば顧客端末３０においては、顧客Ｂによる終了ボタン３４ａの押下操作に応じて、決済完了通知画面３４を閉じる。
【００５２】
以上に説明したように、本発明に係る実施形態においては、カード決済サーバ１０は、販売情報取得部１４により販売者端末２０から販売情報を取得し、カード情報取得部１５により販売情報に基づくサイトへアクセスした顧客端末３０からクレジットカード情報を取得する。そして、決済サーバ１０は、決済処理部１６により、販売情報取得部１４及びカード情報取得部１５から得た販売情報及びクレジットカード情報に基づき認証処理を行う。
【００５３】
したがって、顧客端末３０から受け付けたクレジットカード情報は、全く販売者端末２０に送信されることなく、顧客のクレジットカード情報の入力及び送信を、顧客が管理する顧客端末３０を顧客が操作することにより完結することが可能となる。つまり、クレジットカードを預けたり、クレジットカード情報を販売者に提示したりする必要を無くすことができ、クレジットカード情報の漏洩を確実に回避することができる。
【００５４】
また、販売者端末２０は、アクセス用情報をＱＲコード２３ａとして表示するので、顧客端末３０は、アクセス用情報を容易に取り込むことができる。
【００５５】
以上、発明の実施の形態を説明したが、本発明はこれらに限定されるものではなく、発明の趣旨を逸脱しない範囲内において種々の変更、追加、置換等が可能である。
【００５６】
例えば、上記した実施形態においては、接続画面３１の接続ボタン３１ｂを選択することにより、直接、カード情報入力画面３３に接続するように構成しているが、顧客端末３０は、図６に示すような、接続画面３１’を表示してもよい。図６において、接続画面３１’には、アクセス用情報表示画面２３に表示された決済キー２３ｃの入力を受け付ける決済キー入力ボックス３１ａ’と、接続ボタン３１ｂ’とが表示される。顧客端末３０は、顧客Ｂによる決済キーの入力と、顧客Ｂによる接続ボタン３１ｂ’の選択を受付け、決済サーバ１０にアクセスする。
【００５７】
また、上述した実施形態においては、一例として販売者が提供する対象を商品としたが、サービスを提供する場合であっても適応可能であり、その場合、販売対象情報入力画面２２の決済内容入力ボックス２２ｂには、そのサービス内容を入力すればよい。
【００５８】
さらに、上述した実施形態においては特に言及していないが、決済のために販売者と顧客とがやりとりする場所は、商品やサービスを提供する店舗内であっても、顧客の自宅玄関先などの商品を引き渡す店舗以外の場所であっても、店舗以外のサービスの提供場所する所定の場所であってもよい。すなわち、上述した実施の形態においては、携帯端末による通信が可能な場所であれば、どの場所であっても販売者と顧客との間の決済処理を行うことができる。
【図面の簡単な説明】
【００５９】
【図１】本発明の一実施形態に係るシステムの概略構成を示すブロック図である。
【図２】本発明の一実施形態に係るシステムのカード決済サーバの構成を示すブロック図である。
【図３】本発明の一実施形態に係るシステムの処理経過の一連の流れを説明するフローチャートである。
【図４】本発明の一実施形態に係るシステムにおける販売者端末の画面遷移を示す図である。
【図５】本発明の一実施形態に係るシステムにおける顧客端末の画面遷移を示す図である。
【図６】本発明の他の実施形態に係るシステムにおける顧客端末の画面を示す図である。
【符号の説明】
【００６０】
１０                          カード決済サーバ
２０                          販売者端末
３０                          顧客端末
４０                          通信ネットワーク
５０                          中継器
【図１】
0004812464.tif 000002
【図２】
0004812464.tif 000003
【図３】
0004812464.tif 000004
【図４】
0004812464.tif 000005
【図５】
0004812464.tif 000006
【図６】
0004812464.tif 000007